(57)【要約】【課題】手での操作を必要とせず、車両や携帯機に触れることなく且つ誤動作することなく電動のスライドドアを開閉できるスライドドア開閉装置を提供する。【解決手段】車両の電動のスライドドアを開閉するスライドドア開閉装置であって、前記スライドドア６の近傍に立った使用者の有無を検出する人検出手段２１と、前記使用者の足の規定動作を検出する動作検出手段２２と、前記人検出手段２１による前記使用者の存在確認と、前記動作検出手段２２による前記規定動作の確認とに基づいて、前記スライドドア６を開方向又は閉方向に駆動するように制御する開閉制御手段とを具備する。【選択図】図３
2014125750.tif 000002
【特許請求の範囲】
【請求項１】
車両の電動のスライドドアを開閉するスライドドア開閉装置であって、
前記スライドドアの近傍に立った使用者の有無を検出する人検出手段と、
前記使用者の規定動作を検出する動作検出手段と、
前記人検出手段による前記使用者の存在確認と、前記動作検出手段による前記規定動作の確認とに基づいて、前記スライドドアを開方向又は閉方向に駆動するように制御する開閉制御手段とを具備する
ことを特徴とするスライドドア開閉装置。
【請求項２】
請求項１に記載のスライドドア開閉装置において、
前記開閉制御手段は、キーレスエントリ装置によるキー認証を条件として、前記開方向又は閉方向への駆動の制御を行う
ことを特徴とするスライドドア開閉装置。
【請求項３】
請求項１又は２に記載のスライドドア開閉装置において、
前記開閉制御手段は、キーレスエントリ装置のキー認証を条件として、前記開方向への駆動の制御の前にキー解除を行い、前記閉方向への駆動の制御の後にキー施錠を行う
ことを特徴とするスライドドア開閉装置。
【請求項４】
請求項１〜３の何れか一項に記載のスライドドア開閉装置において、
前記人検出手段は、前記スライドドアのドアノブ近傍に設けられ、
前記動作検出手段は、前記スライドドアの下方側面に設けられている
ことを特徴とするスライドドア開閉装置。
【請求項５】
請求項１〜４の何れか一項に記載のスライドドア開閉装置において、
前記規定動作は、開方向又は閉方向への足の移動である
ことを特徴とするスライドドア開閉装置。
【発明の詳細な説明】
【技術分野】
【０００１】
本発明は、車両のスライドドア開閉装置に関する。
【背景技術】
【０００２】
車両のスライドドアをリモートコントロールにより、モーター駆動にて開閉する電動スライドドアがワンボックスカーなどに多く採用されるようになっている（例えば、特許文献１参照）。
【０００３】
また、使用者が携帯する無線式の携帯機を用いて車両のドアの施錠、解錠を制御するキーレスエントリ装置も多く用いられており、キーレスエントリ装置が採用されている場合には、電動スライドドアの開閉動作も携帯機の開閉スイッチで行えるようになっている場合が多い（例えば、特許文献２参照）。また、携帯機の開閉スイッチを操作する代わりに、携帯機を保持した状態で電動スライドドアのノブを操作することにより、スライドドアの開閉動作が行われるようにして利便性を上げている場合もある。
【０００４】
一方、両手が塞がっている場合に、開閉動作を足で行えるようにした開閉体作動装置が提案されている（特許文献３参照）。
【０００５】
かかる特許文献３の開閉体作動装置は、動作検知手段を車両の下部に設け、ユーザが車両の下に足を挿入して開閉の意志を伝えることにより、意図しない開閉を防止するものであるが、車両に近接して足を車両の下に挿入しなければならなく、利便性に欠け、両手に大きな荷物を抱えている場合など、足を車両の下に挿入する動作が不可能な場合があるなどの問題がある。
【先行技術文献】
【特許文献】
【０００６】
【特許文献１】特開２００７−２７７９００号公報
【特許文献２】特開２０１１−２１４３４１号公報
【特許文献３】特開２００５−１３３５２９号公報
【発明の概要】
【発明が解決しようとする課題】
【０００７】
本発明は上記状況に鑑みてなされたもので、手での操作を必要とせず、車両や携帯機に触れることなく且つ誤動作することなく電動のスライドドアを開閉できるスライドドア開閉装置を提供することを目的とする。
【課題を解決するための手段】
【０００８】
前記目的を達成する本発明の第１の態様は、車両の電動のスライドドアを開閉するスライドドア開閉装置であって、前記スライドドアの近傍に立った使用者の有無を検出する人検出手段と、前記使用者の規定動作を検出する動作検出手段と、前記人検出手段による前記使用者の存在確認と、前記動作検出手段による前記規定動作の確認とに基づいて、前記スライドドアを開方向又は閉方向に駆動するように制御する開閉制御手段とを具備することを特徴とするスライドドア開閉装置にある。
【０００９】
かかる第１の態様では、スライドドアの近傍（車両の側方におけるドア近傍）に立った使用者の存在確認と、使用者の規定動作（例えば、足の規定動作）の検出とに基づいて、開方向又は閉方向に駆動制御されるので、使用者は手での操作を必要とせず且つ誤動作なく、電動のスライドドアを開閉することができる。
【００１０】
本発明の第２の態様は、第１の態様に記載のスライドドア開閉装置において、前記開閉制御手段は、キーレスエントリ装置によるキー認証を条件として、前記開方向又は閉方向への駆動の制御を行うことを特徴とするスライドドア開閉装置にある。
【００１１】
かかる第２の態様では、キーレスエントリ装置によるキー認証を、開方向又は閉方向への駆動制御の条件とするので、さらに誤動作が防止される。
【００１２】
本発明の第３の態様は、第１又は２の態様に記載のスライドドア開閉装置において、前記開閉制御手段は、キーレスエントリ装置のキー認証を条件として、前記開方向への駆動の制御の前に開錠を行い、前記閉方向への駆動の制御の後に施錠を行うことを特徴とするスライドドア開閉装置にある。
【００１３】
かかる第３の態様では、キーレスエントリ装置によるキー認証を、開方向又は閉方向への駆動制御の条件とするので、さらに誤動作が防止されるとともに、キーレスエントリ装置を介しての開錠又は施錠を省略することができ、さらに利便性が向上する。
【００１４】
本発明の第４の態様は、第１〜３の何れかの態様に記載のスライドドア開閉装置において、前記人検出手段は、前記スライドドアのドアノブ近傍に設けられ、前記動作検出手段は、前記スライドドアの下方側面に設けられていることを特徴とするスライドドア開閉装置にある。
【００１５】
かかる第４の態様では、スライドドアのドアノブ近傍に設けられた人検出手段により使用者の存在の有無を確実に検出し、スライドドアの下方側面に設けられた動作検出手段により使用者の足の規定動作を確実に検出することができる。
【００１６】
本発明の第５の態様は、第１〜４の何れかの態様に記載のスライドドア開閉装置において、前記規定動作は、開方向又は閉方向への足の移動であることを特徴とするスライドドア開閉装置にある。
【００１７】
かかる第５の態様では、開方向又は閉方向への足の移動を規定動作とすることにより、使用者は直感的な操作でスライドドアの開閉を行うことができる。
【発明の効果】
【００１８】
本発明のスライドドア開閉装置は、スライドドアの近傍に立った使用者の存在確認と、使用者の足の規定動作の検出とに基づいて、開方向又は閉方向に駆動制御されるので、使用者は手での操作を必要とせず且つ誤動作なく、電動のスライドドアを開閉することができる。
【図面の簡単な説明】
【００１９】
【図１】本発明の一実施形態に係るスライドドア開閉装置を搭載した車両の左側面模式図である。
【図２】スライドドアとその駆動装置の断面を車両上方から見た模式図である。
【図３】センサの検出範囲を示す模式図である。
【図４】スライドドアの開動作の制御フローを示すフローチャートである。
【図５】スライドドアの閉動作の制御フローを示すフローチャートである。
【図６】規定動作の例を示す模式図である。
【発明を実施するための形態】
【００２０】
図１、図２に基づいて、車両の一例である自動車に搭載された本発明のスライドドア開閉装置について説明する。
【００２１】
図１は、本発明の一実施形態に係るスライドドア開閉装置を搭載したワンボックスタイプの自動車の左側面模式図を示す。図示のように、車両１の側部のセンターピラー２と、リアクォーターパネル３との間には後部座席４へ乗降するための乗降口５が設けられており、乗降口５には、車両１の前後方向に移動して乗降口５を開閉するスライドドア６が取り付けられている。
【００２２】
図２は、スライドドアとその駆動装置の断面を車両上方から見た模式図である。スライドドア６を駆動する駆動装置１０は、駆動モーター１１を具備し、駆動モーター１１には減速機１２を介して駆動プーリー１３が接続されている。駆動プーリー１３は、車両前後方向にスライドドア６の略前後長だけ離れた位置に配置された前部ガイドプーリー１４及び後部ガイドプーリー１５に掛け渡された無端ワイヤー１６に連結されている。無端ワイヤー１６は、駆動プーリー１３に複数回巻き付けられて、駆動モーター１１を駆動した際の駆動プーリー１３と無端ワイヤー１６との間のスリップが防止されている。
【００２３】
無端ワイヤー１６には、スライドドア６のインナーパネルに一端部が固定されたブラケット１７の他端部が連結されており、駆動モーター１１を駆動することにより、スライドドア６は、無端ワイヤー１６と共動して前後のガイドプーリー１４、１５間を、図示しないガイドレールに案内されて移動し乗降口５を開閉する構造となっている。
【００２４】
本実施形態のスライドドア開閉装置は、図１及び図３の模式図に示すように、スライドドア６のドアノブ７の下側に設けられた人検出手段である超音波センサ２１と、スライドドア６のドアノブ７の下方のサイドシル８に設けられた動作検出手段であるモーションセンサ２２とを具備する。
【００２５】
超音波センサ２１は、スライドドア６の側方（近傍）に立ってスライドドア６を開閉しようとする使用者の存在を検出するものであり、検出範囲はスライドドア６の側方で、例えば、水平距離１５０ｃｍ以下、好ましくは、１００ｃｍ以下、高さ１００ｃｍ〜１８０ｃｍ、好ましくは、１２０〜１６０ｃｍのものである。超音波センサ２１の設置場所はドアノブ７近傍ではなく、乗降口５の上部のルーフパネルに検出範囲を下方に向けた超音波センサを設けてもよい。また、人検出手段としては、超音波センサの他、赤外線センサなど、人を検知できるものであればよく、超音波センサや赤外線センサと共に熱検知センサを併用してもよい。
【００２６】
一方、モーションセンサ２２は、いわゆる加速度センサであり、使用者の規定動作（足の規定動作）を検出するものである。検出範囲は、車両１の側方のスライドドア６の近傍の下部の限られた範囲でよく、水平距離１５０ｃｍ以下、好ましくは、１００ｃｍ以下で、高さ５０ｃｍ以下、好ましくは３０ｃｍ以下の範囲でよい。モーションセンサ２２は、モーションセンサ２２より下方に設けたモーションセンサ２２Ａとしてもよいし、ドアノブ７の位置より後方に設けたモーションセンサ２２Ｂとしてもよい。勿論、異なる箇所に複数個設けて検出範囲を確保すると共に、より正確な検出が行えるようにしてもよい。また、誤動作を防止するために、規定動作検出手段としてモーションセンサと共に熱検知センサを併用してもよい。
【００２７】
本実施形態では、詳細は、後述するフローチャートに基づいて説明するが、超音波センサ２１とモーションセンサ２２との検知状態により、スライドドア６の開閉駆動を制御する開閉制御手段は、図示しない車両１の電子制御システム内などに設けられ、人検出手段である超音波センサ２１による使用者の存在確認と、動作検出手段であるモーションセンサ２２による使用者の足の規定動作の検出とに基づいて、スライドドア６を開方向又は閉方向に駆動するように駆動モーター１１を制御するようになっており、誤動作を防止しつつ、手での操作を行うことなく、スライドドア６の開閉を行うことができるようになっている。
【００２８】
また、本実施形態の車両１には、いわゆるキーレスエントリ装置が設けられている。キーレスエントリ装置は、車両１の使用者が所持する携帯機および車両１に搭載された無線式自動暗号照合キー装置（以下、ＫＯＳ；Keyless  Operation  System）のそれぞれに車両の使用者情報（所有者ＩＤ）が予め保持され、携帯機とＫＯＳとの間で無線通信によって所有者ＩＤのチェック（認証）が行われる。そして、該車両１の使用者であることが認証できたときＫＯＳ車載機は、使用者から出される施錠、解錠又はスライドドア６の開閉など指令を受け付けるようになっている。なお、ＫＯＳ車載機は、例えば、上述した車両１の電子制御システム内などに設けられている。
【００２９】
本実施形態のスライドドア開閉装置は、かかるキーレスエントリ装置とは別に、すなわち、キーレスエントリ装置によるスライドドア６の開閉とは別に動作するものであり、キーレスエントリ装置の携帯機のボタン操作などを行うことなく、人検出手段である超音波センサ２１による使用者の存在確認と、動作検出手段であるモーションセンサ２２による使用者の足の規定動作の検出とに基づいて、スライドドア６の開閉を行うものである。なお、キーレスエントリ装置の携帯機にスライドドア６の開閉ボタン等がある場合には、これらの操作によりスライドドア６の開閉等が行えることは勿論である。
【００３０】
また、スライドドア開閉装置によるスライドドア６の開閉は、携帯機とＫＯＳとの間での無線通信によっての所有者ＩＤのチェック（認証）を前提条件としてもよい。
【００３１】
次に、図４に示すフローチャートに基づいて、スライドドア開閉装置によるドア開放の制御フローについて説明する。
【００３２】
まず、キーなどの携帯機を持った使用者が車両１に接近すると（ステップＳ１）、携帯機とＫＯＳとの間での無線通信によっての所有者ＩＤのチェック、すなわち、キー認証を行う（ステップＳ２）。ステップＳ２でキー認証がされなかった場合には（ステップＳ２；Ｎｏ）、ステップＳ１に戻り、キー認証がされ（ステップＳ２；Ｙｅｓ）、さらに使用者がスライドドア６に近接すると（ステップＳ３）、超音波センサ２１による人の存在の有無が確認される（ステップＳ４）。ステップＳ４で存在が確認されない場合には（ステップＳ４；Ｎｏ）、ステップＳ１に戻り、人の存在が確認されると（ステップＳ４；Ｙｅｓ）、ステップＳ５に移行する。ステップＳ５で、車両１に近接した使用者が足により規定動作を行うと、モーションセンサ２２による規定動作の検知が行われ（ステップＳ６）、開放に相当する規定動作が確認されない場合には（ステップＳ６；Ｎｏ）、ステップＳ１に戻り、開放に相当する規定動作が確認されると（ステップＳ６；Ｙｅｓ）、車両のロック状態を確認し（ステップＳ７）、アンロック状態の場合には（ステップＳ７；Ｎｏ）そのまま、ロック状態の場合には（ステップＳ７；Ｙｅｓ）ロックを解除した後（ステップＳ８）、スライドドアを開放する（ステップＳ９）。
【００３３】
次に、図５に示すフローチャートに基づいて、スライドドア開閉装置によるドア閉の制御フローについて説明する。
【００３４】
まず、スライドドアが開状態かどうかを判断し（ステップＳ１１）、ステップＳ１１でスライドドアが閉状態の場合には（ステップＳ１１；Ｎｏ）、元に戻り、ステップＳ１１でスライドドアが開状態で（ステップＳ１１；Ｙｅｓ）、キーなどの携帯機を持った使用者が車両に近づくと（ステップＳ１２）、携帯機とＫＯＳとの間での無線通信によっての所有者ＩＤのチェック、すなわち、キー認証を行う（ステップＳ１３）。ステップＳ１３でキー認証がされなかった場合には（ステップＳ１３；Ｎｏ）、ステップＳ１１に戻り、キー認証がされ（ステップＳ１３；Ｙｅｓ）、さらに使用者がスライドドア６に近接すると（ステップＳ１４）、超音波センサ２１による人の存在の有無が確認される（ステップＳ１５）。ステップＳ１５で存在が確認されない場合には（ステップＳ１５；Ｎｏ）、ステップＳ１１に戻り、人の存在が確認されると（ステップＳ１５；Ｙｅｓ）、ステップＳ１６に移行する。ステップＳ１６で、車両１に近接した使用者が足により規定動作を行うと、モーションセンサ２２による規定動作の検知が行われ（ステップＳ１７）、開放による規定動作が確認されない場合には（ステップＳ１７；Ｎｏ）、ステップＳ１１に戻り、開放に相当する規定動作が確認されると（ステップＳ１７；Ｙｅｓ）、スライドドアを閉じる（ステップＳ１８）。
【００３５】
図４、図５のフロー制御において、ステップＳ２やステップＳ１３のキーレスエントリ装置によるキー認証は省略してもよく、または、キー認証は行っても、ステップＳ７及びＳ８のロック状態の確認と、ロック解除を省略してもよい。ロック解除を省略したフローでは、ロックが解除されている場合のみ、スライドドア開閉装置によるスライドドアの開放が行われる、すなわち、スライドドアの開放の前提として、ロック解除が前提となるので、利便性が低減するが、安全性が向上する。
【００３６】
また、上述したフロー制御で、ステップＳ４やステップＳ１５で人の検知がされなかった場合（ステップＳ４；Ｎｏ又はステップＳ１５；Ｎｏ）の場合には、ステップＳ４又はステップＳ１５に戻るようにしてもよいし、ステップＳ６やステップＳ１７で規定動作の検知がされなかった場合（ステップＳ６；Ｎｏ又はステップＳ１７；Ｎｏ）の場合には、ステップＳ６又はステップＳ１７に戻るようにしてもよい。
【００３７】
さらに、図４、図５の制御フローには記載しなかったが、上述したフロー制御の前提として、車両１が停止状態であることを検出するのは勿論である。
【００３８】
ここで、使用者がスライドドア６の開放を指示するための足の規定動作を図６を参照しながら説明する。
【００３９】
図６は、使用者の足の動きを模式的に示したものであり、符号３１は、軸足を示し、この場合には左足であり、符号３２は軸足でない移動させる足、この場合には右足を示す。
【００４０】
図６（ａ）は、規定動作の一例を示し、使用者が左足を軸足３１として立った状態から、他方の足である右足を足３２ａの位置から足３２ｂ〜足３２ｃに移動させた動作を示す。具体的には、右足を、左足前から右前方向、すなわち、スライドドア６の開放方向に移動させる動作を示す。この場合、使用者はスライドドア６を開放したいという意志に従って、右足を動作させればよく、直感的な規定動作によりスライドドア６を開放することができる。
【００４１】
図６（ｂ）は、規定動作の他の例を示し、右足を足３２ｄの位置から足３２ｅの位置へ移動させる規定動作を示す。具体的には、右足を前方に蹴り出してから右前方向に移動させる動作である。この場合にも、スライドドア６を開放したいという意志に基づくものであり、直感的な規定動作によりスライドドア６を開放することができる。
【００４２】
図６（ｃ）は、規定動作の他の例を示し、右足の踵を足３２の位置に固定したまま、爪先を爪先３３ａの位置から爪先３３ｂの位置へ移動させる規定動作を示す。具体的には、爪先を左前から右前方向に移動させる動作である。この場合にも、スライドドア６を開放したいという意志に基づくものであり、直感的な規定動作によりスライドドア６を開放することができる。
【００４３】
以上、図６に示した規定動作はスライドドア６の開放の指令のための規定動作の一例であり、これに限定されるものではない。
【００４４】
また、スライドドアを閉めるための規定動作は図６とは逆方向への動作となる。この場合にも、スライドドアを閉めたいという意志に基づいての動作であり、直感的な規定動作によりスライドドア６を閉じることができる。
【００４５】
このような規定動作は、スライドドア６から所定の距離離れた位置で行うことができ、使用者が大きな荷物を抱えている場合にも、スライドドア６の開閉を容易に行うことができる。
【００４６】
なお、規定動作は、予め規定された足の動作であれば、これらに限定されるものではなく、スライドドアの開閉方向への足の移動に限定されるものではない。
【００４７】
しかしながら、直感的な規定動作によりスライドドア６を開閉するためには、スライドドアの開閉方向への足の移動を規定動作とするのが好ましい。
【００４８】
また、スライドドアの開閉方向への足の移動を規定動作とする場合、上述したように、開方向への移動が開の指令、閉方向への移動が閉の指令としてもよいが、これらを区別することなく、スライドドアの開閉方向への足の移動により、スライドドアが閉じられている場合には、開の指令として判断し、スライドドアが開放されている場合には、閉の指令と判断するようにしてもよい。この場合にも、スライドドアの開閉方向への足の移動が規定動作となるので、直感的に操作することができる。
【００４９】
このように本実施形態では、人の検知と規定動作の検知を条件として、スライドドアの開閉を行うので、誤動作を防止することができるが、キーレスエントリ装置によるキー認証を組み合わせれば、さらに確実に誤動作を防止することができる。また、規定動作は、車両の側方におけるスライドドア６から少し離れた場所での足による直感的な動作とすることにより、大きな荷物を抱えた状態であっても、比較的容易にスライドドア６の開閉動作を行うことができる。
【００５０】
ここで、規定動作は、１０〜３０ｃｍの範囲での動作であり、どんなに大きくても７０ｃｍ以内、好ましくは５０ｃｍ以内であるので、モーションセンサ２２は、少なくとも１０〜３０ｃｍ程度の小さな動作を検出できることは勿論であるが、例えば、７０ｃｍを越える、あるいは５０ｃｍを越える大きな動作を規定動作ではないと判断するようにしてもよい。これにより、子供や小動物の移動による誤動作を防止することができ、さらに安全性を高めることができる。
【００５１】
尚、以上説明した実施形態は、車両の左側の電動スライドドアについて説明したが、右側にも電動スライドドアを搭載している場合には、同様なスライドドア開閉装置を右側に搭載してもよい。また、上述した実施形態では、キーレスエントリ装置を搭載した車両について説明したが、キーレスエントリ装置の搭載は必須ではなく、キーレスエントリ装置が搭載されていない車両にも本発明のスライドドア開閉装置は適用可能である。
【産業上の利用可能性】
【００５２】
本発明は、自動車以外の車両又は車両以外の電動スライドドアの開閉装置として各種産業分野で利用することができる。
【符号の説明】
【００５３】
１  車両
２  センターピラー
５  乗降口
６  スライドドア
２１  超音波センサ（人検出手段）
２２  モーションセンサ（動作検出手段）
【図１】
2014125750.tif 000003
【図２】
2014125750.tif 000004
【図３】
2014125750.tif 000005
【図４】
2014125750.tif 000006
【図５】
2014125750.tif 000007
【図６】
2014125750.tif 000008